(57)【要約】【課題】美容師からのヘアアレンジに関する的確なアドバイスの取得を容易に行い、ユーザのヘアアレンジの技量の向上を支援することができる。【解決手段】後姿見システムは、ユーザの背後に配置され、ユーザの後姿を撮像するカメラと、ユーザの前面の鏡像を映すとともに、カメラによって撮像される撮像映像を表示するミラーモニタと、ミラーモニタおよびサーバのそれぞれとの間で通信可能であり、ミラーモニタから送られる撮像映像の送信先となる美容院の情報を設定して、サーバに送信するユーザ端末と、美容院に配置されるとともに、サーバを介してユーザ端末と通信可能に接続され、サーバを介してユーザ端末から送られた撮像映像を表示する美容院端末と、を備え、ユーザ端末は、撮像映像を見た美容師からのヘアアレンジに関する指摘内容を美容院端末およびサーバを介して受信して表示する、後姿見システム。【選択図】図１
2020136971.tif 000002
【特許請求の範囲】
【請求項１】
ユーザの背後に配置され、前記ユーザの後姿を撮像するカメラと、
前記ユーザの前面の鏡像を映すとともに、前記カメラによって撮像される撮像映像を表示するミラーモニタと、
前記ミラーモニタおよびサーバのそれぞれとの間で通信可能であり、前記ミラーモニタから送られる前記撮像映像の送信先となる美容院の情報を設定して、前記サーバに送信するユーザ端末と、
前記美容院に配置されるとともに、前記サーバを介して前記ユーザ端末と通信可能に接続され、前記サーバを介して前記ユーザ端末から送られた前記撮像映像を表示する美容院端末と、を備え、
前記ユーザ端末は、
前記撮像映像を見た美容師からのヘアアレンジに関する指摘内容を前記美容院端末および前記サーバを介して受信して表示する、
後姿見システム。
【請求項２】
前記ミラーモニタは、
前記ミラーモニタの表面の全面において前記ユーザの前面の鏡像を映すミラーモードと、前記ミラーモードが有する複数の表示領域において異なるデータを表示するモニタモードと、を制御する、
請求項１に記載の後姿見システム。
【請求項３】
前記ミラーモニタは、
前記ミラーモニタの表面の全面において前記ミラーモードと前記モニタモードとを同時に実行する、
請求項２に記載の後姿見システム。
【請求項４】
前記ミラーモニタは、
前記ミラーモードにおいて前記ユーザの前面を映し、前記複数の表示領域のいずれかに前記ユーザの後姿の前記撮像映像を表示する、
請求項２または３に記載の後姿見システム。
【請求項５】
前記ミラーモニタは、
前記複数の表示領域のうちいずれか１つの表示領域に、前記サーバに登録された他のユーザによる他の撮像映像を表示する、
請求項２から４のいずれか一項に記載の後姿見システム。
【請求項６】
前記ミラーモニタは、
前記複数の表示領域のうちいずれか１つの表示領域に、過去に撮像された複数の前記撮像映像を表示する、
請求項２から５のいずれか一項に記載の後姿見システム。
【請求項７】
前記ユーザ端末は、前記ユーザのヘアアレンジに関する広告データを前記サーバから取得して、前記広告データのうち前記ユーザ端末における前記ヘアアレンジの操作履歴に基づく広告データを抽出して前記ミラーモニタに表示させる、
請求項２から６のいずれか一項に記載の後姿見システム。
【請求項８】
前記ミラーモニタは、前記ユーザの音声を入力するマイクと、前記音声に基づく所定の指示を認識する音声認識部と、前記撮像映像の表示に関する制御を実行する制御部と、をさらに有し、
前記制御部は、前記音声認識部により認識された前記所定の指示に基づいて、前記撮像映像の表示に関する制御を実行する、
請求項２から７のいずれか一項に記載の後姿見システム。
【請求項９】
前記ミラーモニタは、前記ミラーモニタに給電する電源部と、前記ミラーモニタの輝度を調整可能な制御部と、をさらに有し、
前記電源部のオン状態において前記ミラーモードを実行し、前記輝度を調整して前記ミラーモードとともにさらに前記モニタモードを実行する、
請求項２から８のいずれか一項に記載の後姿見システム。
【請求項１０】
前記ミラーモニタは、前記ミラーモニタの輝度を調整可能な制御部をさらに有し、
輝度がゼロの状態において前記ミラーモードを実行し、前記輝度を所定の値に調整して前記モニタモードを実行する、
請求項２から８のいずれか一項に記載の後姿見システム。
【請求項１１】
カメラによって、ユーザの後姿を撮像するステップと、
ミラーモニタにより、ユーザの前面の鏡像を映すとともに、ユーザの背後に配置されるカメラによって撮像される撮像映像を表示するステップと、
ユーザ端末により、前記ミラーモニタおよびサーバのそれぞれとの間で通信可能であり、前記ミラーモニタから送られる前記撮像映像の送信先となる美容院の情報を設定して、前記サーバに送信するステップと、
美容院端末により、前記美容院に配置されるとともに、前記サーバを介して前記ユーザ端末と通信可能に接続され、前記サーバを介して前記ユーザ端末から送られた前記撮像映像を表示するステップと、
前記ユーザ端末により、前記撮像映像を見た美容師からのヘアアレンジに関する指摘内容を前記美容院端末および前記サーバを介して受信して表示する、ステップと、を有する、
後姿見方法。
【発明の詳細な説明】
【技術分野】
【０００１】
本開示は、後姿見システムおよび後姿見方法に関する。
【背景技術】
【０００２】
従来、正面の鏡を見ている姿勢そのままで使用者の頭頂部、後頭部、背面を見ることができ、両手も自由に使える複合表示システムが知られている。例えば、特許文献１には被撮像体に対向して設置されるマジックミラーと、マジックミラーの背面に被撮像体から目視可能な画像を表示する表示手段と、被撮像体の周囲を撮像する少なくとも１の撮像手段と、撮像手段を所望位置に保持する保持手段と、撮像手段から出力される映像を表示させる制御手段と、を有して構成される。この複合表示システムによれば、正面のマジックミラーを見ている姿勢そのままで使用者の頭頂部、後頭部、背面を見ることができ、両手を自由に使えるため、楽な姿勢で整髪や白髪染め、薄毛対策、または髪にデコレーションを施すことができる。
【０００３】
また、特許文献２には被写体の前面に配設される画像表示装置と、被写体を撮像するビデオカメラと、ビデオカメラを被写体の後面に配設する配設手段と、ビデオカメラが撮像した画像信号を画面表示装置へ伝送する伝送手段と、を備える後ろ姿見の装置が知られている。この後ろ姿見の装置によれば、ビデオカメラによって撮像された画像を前面に配設された画像表示装置に表示できるため、表示された後ろ姿の相対的距離感および方向感覚を通常の感覚に合うようにできる。
【先行技術文献】
【特許文献】
【０００４】
【特許文献１】特開２０１６−１８９５０３号公報
【特許文献２】特開２０００−１３８９２６号公報
【発明の概要】
【発明が解決しようとする課題】
【０００５】
しかしながら、これらの従来技術の構成では、ユーザのヘアアレンジの技量の向上に限界があった。例えば、複数のユーザそれぞれが同一のヘアスタイルにする場合であっても、複数のユーザのそれぞれによって頭の形状、髪質、顔の輪郭等が異なるため、同一のヘアスタイルを実現するにあたって必要となる工程あるいは技術が異なる。一方、従来これらのヘアアレンジの技量を向上させる場合、ユーザはユーザに合ったヘアアレンジ方法を教えるヘアアレンジ教室、またはユーザの頭の形状、髪質、顔の輪郭等に基づくアドバイスを美容師等により提供してもらうべく美容院に通う必要があった。しかしながら、ヘアアレンジ教室は都市部を中心に開催されているため、例えば地方に住むユーザは頻繁に通うことができず、ヘアアレンジ方法を簡単に教わることはできなかった。また、美容院に通う回数は平均的な統計によると年間に数回程度であるため、ユーザは流行または季節に合わせたヘアアレンジを熟知している美容師から的確なアドバイスの提供が受けることができなかった。よって、ユーザは自分の気に入るヘアアレンジを施す技量を身につけることはできなかった。
【０００６】
本開示は、上述した従来の事情に鑑みて案出され、美容師からのヘアアレンジに関する的確なアドバイスの取得を容易に行い、ユーザのヘアアレンジの技量の向上を支援することができる後姿見システムおよび後姿見方法を提供することを目的とする。
【課題を解決するための手段】
【０００７】
本開示は、ユーザの背後に配置され、前記ユーザの後姿を撮像するカメラと、前記ユーザの前面の鏡像を映すとともに、前記カメラによって撮像される撮像映像を表示するミラーモニタと、前記ミラーモニタおよびサーバのそれぞれとの間で通信可能であり、前記ミラーモニタから送られる前記撮像映像の送信先となる美容院の情報を設定して、前記サーバに送信するユーザ端末と、前記美容院に配置されるとともに、前記サーバを介して前記ユーザ端末と通信可能に接続され、前記サーバを介して前記ユーザ端末から送られた前記撮像映像を表示する美容院端末と、を備え、前記ユーザ端末は、前記撮像映像を見た美容師からのヘアアレンジに関する指摘内容を前記美容院端末および前記サーバを介して受信して表示する、後姿見システムを提供する。
【０００８】
また、本開示は、カメラによって、ユーザの後姿を撮像するステップと、ミラーモニタにより、ユーザの前面の鏡像を映すとともに、ユーザの背後に配置されるカメラによって撮像される撮像映像を表示するステップと、ユーザ端末により、前記ミラーモニタおよびサーバのそれぞれとの間で通信可能であり、前記ミラーモニタから送られる前記撮像映像の送信先となる美容院の情報を設定して、前記サーバに送信するステップと、美容院端末により、前記美容院に配置されるとともに、前記サーバを介して前記ユーザ端末と通信可能に接続され、前記サーバを介して前記ユーザ端末から送られた前記撮像映像を表示するステップと、前記ユーザ端末により、前記撮像映像を見た美容師からのヘアアレンジに関する指摘内容を前記美容院端末および前記サーバを介して受信して表示する、ステップと、を有する、後姿見方法を提供する。
【発明の効果】
【０００９】
本開示によれば、美容師からのヘアアレンジに関する的確なアドバイスの取得を容易に行い、ユーザのヘアアレンジの技量の向上を支援することができる。
【図面の簡単な説明】
【００１０】
【図１】実施の形態１に係る後姿見システムの概要例を示す図
【図２】実施の形態１に係るユーザ宅のシステム構成例を示すブロック図
【図３】実施の形態１に係るサーバのシステム構成例を示すブロック図
【図４】実施の形態１に係る美容院のシステム構成例を示すブロック図
【図５Ａ】ユーザ宅におけるカメラとミラーモニタの使用例を示す図
【図５Ｂ】ユーザ宅におけるカメラとミラーモニタの使用例を示す図
【図６Ａ】ミラーモニタにおけるミラーモードの一例を示す図
【図６Ｂ】ミラーモニタにおけるモニタモードの一例を示す図
【図７】カメラの一例を示す図
【図８】実施の形態１に係る後姿見システムの動作手順例を示すシーケンス図
【図９Ａ】ユーザ端末における相談内容の作成例を示す図
【図９Ｂ】美容院端末における回答内容の作成例を示す図
【図１０】実施の形態１に係るユーザ宅における後姿見システムの動作手順例を示す図
【図１１Ａ】サーバの記憶部の公開用データに記憶された他の撮像映像のサムネイルをユーザ端末に表示する表示例を示す図
【図１１Ｂ】ユーザ端末におけるお気に入り動画の検索例を示す図
【図１１Ｃ】ユーザ端における撮像映像の一覧表示例を示す図
【発明を実施するための形態】
【００１１】
以下、適宜図面を参照しながら、本開示に係る駐車監視システムおよび駐車監視方法を具体的に開示した実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１２】
（実施の形態１の内容に至る経緯）
昨今、正面の鏡を見ている姿勢そのままでユーザの背面および後頭部を見ることができる後姿見システムがある。従来の後姿見システムでは、背面および後頭部を見ながら両手を自由に使える状態で楽にヘアアレンジをすることが可能であった。しかし、この後姿見システムを用いたヘアアレンジには、ユーザのヘアアレンジの技量の向上に限界があった。例えば、複数のユーザそれぞれが同一のヘアスタイルにする場合であっても、複数のユーザのそれぞれによって頭の形状、髪質、顔の輪郭等が異なるため、同一のヘアスタイルを実現するにあたって必要となる工程あるいは技術が異なる。一方、従来これらのヘアアレンジの技量を向上させる場合、ユーザはユーザに合ったヘアアレンジ方法を教えるヘアアレンジ教室、またはユーザの頭の形状、髪質、顔の輪郭等に基づくアドバイスを美容師等により提供してもらうべく美容院に通う必要があった。しかしながら、ヘアアレンジ教室は都市部を中心に開催されているため、例えば地方に住むユーザは頻繁に通うことができず、ヘアアレンジ方法を簡単に教わることはできなかった。また、美容院に通う回数は平均的な統計によると年間に数回程度であるため、ユーザは流行または季節に合わせたヘアアレンジを熟知している美容師から的確なアドバイスの提供が受けることができなかった。よって、ユーザは自分の気に入るヘアアレンジを施す技量を身につけることはできなかった。しかし、上述した特許文献１および２では、ユーザの個人努力を超えたヘアアレンジの技量の向上については想定されていない。
【００１３】
以下、適宜図面を参照しながら、本開示に係る後姿見システムおよび後姿見方法の構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面及び以下の説明は、当業者が本開示を十分に理解するために提供されるものであって、これらにより特許請求の範囲に記載の主題を限定することは意図されていない。
【００１４】
（実施の形態１）
図１は、実施の形態１に係る後姿見システム１００の概要例を示す図である。実施の形態１に係る後姿見システム１００は、ユーザ宅ＣＵ１におけるユーザ端末Ｐ１、ミラーモニタＭ１およびカメラＭ２と、サーバＳ１と、美容院ＣＵ２における美容院端末Ｐ２および美容院カメラＭ３と、を含む構成である。なお、図１では説明を簡単にするために、ユーザ宅ＣＵ１および美容院ＣＵ２内における構成のそれぞれとの間の通信を無線Ｎ／Ｗ（ＮｅｔＷｏｒｋ）で示しているが、ユーザ宅ＣＵ１および美容院ＣＵ２内における構成のそれぞれの通信は、ユーザ宅ＣＵ１および美容院ＣＵ２内にそれぞれ設置されているルータＲ１，Ｒ２を介して行われる。
【００１５】
ユーザ宅ＣＵ１には、ユーザ端末Ｐ１と、ミラーモニタＭ１と、カメラＭ２と、が配置されている。ユーザ端末Ｐ１、ミラーモニタＭ１およびカメラＭ２のそれぞれは、ユーザ宅ＣＵ１に設置されているルータＲ１を介する無線Ｎ／Ｗにより通信を行う。
【００１６】
カメラＭ２は、パン回転およびチルト回転のうち少なくとも一方によって姿勢（言い換えると、内蔵されるレンズの光軸方向）を変更可能であり、かつズーム処理によってズーム倍率を変更可能なＰＴＺ（Ｐａｎ  Ｔｉｌｔ  Ｚｏｏｍ）カメラである。カメラＭ２は、ユーザＨ１の背後に配置され（図５Ａ、図５Ｂ参照）、ユーザＨ１の後姿を撮像する。カメラＭ２は、撮像した撮像映像を、ルータＲ１を介してミラーモニタＭ１に送信する。カメラＭ２に関する構成については、後述する美容院カメラＭ３と同様にキャスタを備えていてもよい。
【００１７】
ミラーモニタＭ１は、所定の光線透過率を有するハーフミラーを表面の全面に備える。ミラーモニタＭ１は、ハーフミラーの背面に設けたバックライト（不図示）の輝度を調整して、透過させてカメラＭ２から受信する撮像映像を表示する。これによりミラーモニタＭ１は、バックライトがオフの時は周囲の方が明るいため鏡となって正面に位置するユーザＨ１の鏡像を映す（以下、ミラーモードと表記）。また、ミラーモニタＭ１は、バックライト（不図示）がオンの時はバックライトの輝度が周囲より明るくなるためモニターとして機能する（以下、モニタモードと表記）。ミラーモニタＭ１は、カメラＭ２から受信した撮像映像を、ルータＲ１を介してさらにユーザ端末Ｐ１に送信する。
【００１８】
ユーザ端末Ｐ１は、ミラーモニタＭ１から受信した撮像映像を記憶する。ユーザ端末Ｐ１は、撮像映像の送信先となる美容院ＣＵ２の情報を設定する。また、ユーザ端末Ｐ１は、送信する美容院ＣＵ２に所属する美容師に対して、撮像映像またはヘアアレンジに関する相談内容をテキストで作成して、設定してもよい。ユーザ端末Ｐ１は、送信先となる美容院ＣＵ２の情報と、撮像映像またはヘアアレンジに関する相談内容と、撮像映像とをサーバＳ１を介して美容院端末Ｐ２に送信する。
【００１９】
サーバＳ１は、後姿見システムを利用するユーザＨ１に関するユーザ情報（不図示）と、各美容院の情報および各美容院に所属する美容師に関する美容院データ（不図示）と、を有する。サーバＳ１は、ユーザ端末Ｐ１から受信した撮像映像に設定された美容院の情報に基づいて、送信先となる美容院ＣＵ２の美容院端末Ｐ２に撮像映像またはヘアアレンジに関する相談内容と、撮像映像とを無線Ｎ／Ｗを介して転送する。また同様に、サーバＳ１は、美容院端末Ｐ２から受信した相談内容または撮像映像に対する回答内容を、相談内容を作成または撮像映像を撮像したユーザ端末Ｐ１に転送する。
【００２０】
美容院ＣＵ２には、美容院端末Ｐ２と、美容院カメラＭ３と、が配置されている。美容院端末Ｐ２および美容院カメラＭ３は、美容院ＣＵ２に設置されているルータＲ２を介する無線Ｎ／Ｗにより通信を行う。美容院ＣＵ２は、ユーザ宅ＣＵ１と同様にミラーモニタを備えていてもよい。
【００２１】
美容院端末Ｐ２は、サーバＳ１を介してユーザ端末Ｐ１から受信した撮像映像またはヘアアレンジに関する相談内容と、撮像映像とを表示する。美容院端末Ｐ２は、相談内容または撮像映像に対する回答内容を設定する。美容院端末Ｐ２は、相談内容または撮像映像に対する回答内容を、サーバＳ１を介して、受信先となるユーザ端末Ｐ１に送信する。
【００２２】
美容院カメラＭ３は、ユーザＨ１が美容院ＣＵ２を訪れた場合にユーザＨ１の後姿を撮像する。美容院カメラＭ３は、パン回転およびチルト回転のうち少なくとも一方によって姿勢（言い換えると、内蔵されるレンズの光軸方向）を変更可能であり、かつズーム処理によってズーム倍率を変更可能なＰＴＺ（Ｐａｎ  Ｔｉｌｔ  Ｚｏｏｍ）カメラである。美容院カメラＭ３は、ユーザＨ１の背後に配置され（図５Ａ、図５Ｂ参照）、ユーザＨ１の後姿を撮像する。美容院カメラＭ３は、撮像した撮像映像を、ルータＲ２を介してユーザ端末Ｐ１、美容院端末Ｐ２および美容院ＣＵに設置されたミラーモニタ（不図示）に送信する。また、美容院カメラＭ３は、移動を容易にするためにキャスタが備えられていてもよい。これにより美容院ＣＵ２は、例えば顧客を施術するための複数の席数に対して少ない台数の美容院カメラＭ３しかない場合であっても、美容院カメラＭ３を容易に移動させることができ、また位置調整をすることができる。
【００２３】
図２は、実施の形態１に係るユーザ宅ＣＵ１のシステム構成例を示すブロック図である。実施の形態１に係るユーザ宅ＣＵ１におけるシステム構成は、ユーザ端末Ｐ１と、ミラーモニタＭ１と、カメラＭ２と、を含んで構成される。なお、図２では説明を簡単にするために、ユーザ端末Ｐ１、ミラーモニタＭ１およびカメラＭ２のそれぞれの間において、ユーザ宅ＣＵ１に設置されているルータＲ１を介して通信を行う。
【００２４】
まず、カメラＭ２の構成例について説明する。カメラＭ２は、通信部１０と、制御部１１と、記憶部１２と、メモリ１３と、撮像部１４と、電源部１９と、を含んで構成される。
【００２５】
通信部１０は、ルータＲ１を介して無線Ｎ／Ｗ（ＮｅｔＷｏｒｋ）によってミラーモニタＭ１と通信可能に接続される。なお、通信部１０は、Ｂｌｕｅｔｏｏｔｈ（登録商標）によってミラーモニタＭ１と通信可能に接続されてもよい。通信部１０は、撮像部１４が撮像を開始すると、撮像部１４から制御部１１に入力される撮像映像をミラーモニタＭ１に送信する。
【００２６】
制御部１１は、例えばＣＰＵ（Ｃｅｎｔｒａｌ  Ｐｒｏｃｅｓｓｉｎｇ  ｕｎｉｔ）またはＦＰＧＡ（Ｆｉｅｌｄ  Ｐｒｏｇｒａｍｍａｂｌｅ  Ｇａｔｅ  Ａｒｒａｙ）を用いて構成されて、メモリ１３と協働して、各種の処理および制御を行う。具体的には、制御部１１はメモリ１３に保持されたプログラムおよびデータを参照し、そのプログラムを実行することにより、各部の機能を実現する。各部の機能は、ＰＴＺ（Ｐａｎ  Ｔｉｌｔ  Ｚｏｏｍ）機能、および後述するミラーモニタＭ１における音声認識部２６によって認識された所定の指示を実行する機能等である。
【００２７】
記憶部１２は、撮像部１４によって撮像されたユーザＨ１の後姿の撮像映像を記憶する。
【００２８】
メモリ１３は、例えば制御部１１の各処理を実行する際に用いられるワークメモリとしてのＲＡＭ（Ｒａｎｄｏｍ  Ａｃｃｅｓｓ  Ｍｅｍｏｒｙ）と、制御部１１の動作を規定したプログラムおよびデータを格納するＲＯＭ（Ｒｅａｄ  Ｏｎｌｙ  Ｍｅｍｏｒｙ）とを有する。ＲＡＭには、制御部１１により生成あるいは取得されたデータもしくは情報が一時的に保存される。ＲＯＭには、制御部１１の動作を規定するプログラムが書き込まれている。
【００２９】
撮像部１４は、撮像素子として、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を有する。撮像部１４は、焦点距離を調節可能フォーカスレンズ、ズーム倍率を変更可能なズームレンズ、および撮像素子の感度を調整可能なゲイン調整部を有する。撮像部１４は、撮像した撮像映像を制御部１１に出力する。
【００３０】
電源部１９は、カメラＭ２に電源を供給して、カメラＭ２を構成する各部を動作可能にする。なお、電源部１９は電荷を蓄積可能なキャパシタを含んで構成されてもよい。
【００３１】
次に、ミラーモニタＭ１の構成例について説明する。ミラーモニタＭ１は、通信部２０と、制御部２１と、記憶部２２と、メモリ２３と、表示部２４と、操作部２５と、音声認識部２６と、マイク２７と、電源部２９と、を含んで構成される。
【００３２】
通信部２０は、ルータＲ１を介して無線Ｎ／Ｗ（ＮｅｔＷｏｒｋ）によってカメラＭ２およびユーザ端末Ｐ１と通信可能に接続される。なお、通信部２０は、Ｂｌｕｅｔｏｏｔｈ（登録商標）によってカメラＭ２およびユーザ端末Ｐ１と通信可能に接続されてもよい。通信部２０は、カメラＭ２から撮像映像を受信して、さらに受信した撮像映像をユーザ端末Ｐ１に送信する。なお、通信部２０は、ユーザ端末Ｐ１を介さずに、美容院端末Ｐ２の通信部６０と通信可能であってもよい。
【００３３】
制御部２１は、例えばＣＰＵ（Ｃｅｎｔｒａｌ  Ｐｒｏｃｅｓｓｉｎｇ  ｕｎｉｔ）またはＦＰＧＡ（Ｆｉｅｌｄ  Ｐｒｏｇｒａｍｍａｂｌｅ  Ｇａｔｅ  Ａｒｒａｙ）を用いて構成されて、メモリ２３と協働して、各種の処理および制御を行う。具体的には、制御部２１はメモリ２３に保持されたプログラムおよびデータを参照し、そのプログラムを実行することにより、各部の機能を実現する。各部の機能は、ミラーモードを実行するためのディスプレイを制御する機能（例えば、ミラーモードにおいて表示部２４の複数の表示領域２４ａ、２４ｂ、２４ｃ、２４ｄ、２４ｅのそれぞれの輝度を調整する機能）、および音声認識部２６によって認識された所定の指示に基づく制御を実行する機能等である。また制御部２１は、音声認識部２６によって認識された所定の指示がカメラＭ２に対する指示である場合には、通信部２０を介してカメラＭ２に所定の指示を送信する。
【００３４】
記憶部２２は、カメラＭ２から受信した撮像映像を記憶する。また、記憶部２２は、ユーザ端末Ｐ１から受信した後述するお気に入り動画、またはユーザＨ１による外部操作に基づくユーザＨ１のヘアアレンジに関する操作履歴等を記憶する。
【００３５】
メモリ２３は、例えば制御部２１の各処理を実行する際に用いられるワークメモリとしてのＲＡＭ（Ｒａｎｄｏｍ  Ａｃｃｅｓｓ  Ｍｅｍｏｒｙ）と、制御部２１の動作を規定したプログラムおよびデータを格納するＲＯＭ（Ｒｅａｄ  Ｏｎｌｙ  Ｍｅｍｏｒｙ）とを有する。ＲＡＭには、制御部２１により生成あるいは取得されたデータもしくは情報が一時的に保存される。ＲＯＭには、制御部１１の動作を規定するプログラムが書き込まれている。
【００３６】
表示部２４は、例えば所定の光線透過率を有するハーフミラーを表面の全面に備え、またバックライトを有するディスプレイをハーフミラーの背面の全面に備えて構成される。表示部２４は、バックライトがオフの時は周囲の方が明るいため鏡となって正面に位置するユーザＨ１の鏡像を映すミラーモードと、バックライト（不図示）がオンの時はバックライトの輝度が周囲より明るくなるためモニターとして機能するモニタモードと、を有する。以下、モニタモードについて説明する。
【００３７】
モニタモードにおける表示部２４は、ディスプレイに複数の表示領域２４ａ、２４ｂ、２４ｃ、２４ｄ、２４ｅからなる表示領域をそれぞれ有している。複数の表示領域２４ａ〜２４ｅのそれぞれは、制御部２１の制御に基づいて輝度が調整可能となっている。表示部２４は、制御部２１によって調整される輝度に基づいて複数の表示領域２４ａ〜２４ｅのそれぞれの領域に位置するバックライトを点灯させる。表示部２４は、バックライトの光をハーフミラー上に透過させて表示する。なお、複数の表示領域２４ａ〜２４ｅのうち少なくとも１つの表示領域は、常時ミラーモードであり、例えば複数の表示領域２４ａ〜２４ｅのうち、第１の表示領域２４ａは常時ミラーモードであってミラーモニタＭ１の正面に位置するユーザＨ１の鏡像を表示する表示領域である。
【００３８】
操作部２５は、例えばユーザＨ１による操作を受け付けるタッチパネルである。操作部２５は、ユーザＨ１によるタッチ等の特定の操作情報を制御部２１に出力する。
【００３９】
マイク２７は、ユーザＨ１が発する音声を集音する。マイク２７は、集音した音声を音声認識部２６に出力する。
【００４０】
音声認識部２６は、マイク２７によって集音されたユーザＨ１の音声が入力されると、ユーザの音声内に含まれるミラーモニタＭ１およびカメラＭ２の制御に関する所定の指示を認識して制御部２１に出力する。所定の言葉は、例えばミラーモニタＭ１の制御に関する所定の指示においては「拡大」、「縮小」、「スタート」、「ストップ」、「早く」、「ゆっくり」、「もう一回」、「戻る」等があり、カメラＭ２の制御に関する所定の指示においては「オン」、「オフ」、「ズーム」等がある。これらの所定の指示は、ミラーモニタＭ１およびカメラＭ２の名称を共に認識されてもよく、例えば「拡大」、「縮小」等のミラーモニタＭ１およびカメラＭ２においてともに使用可能な指示である場合には、「ミラーモニタ、拡大」または「カメラ、拡大」等のように名称と指示とを組み合わせて認識してもよい。また、音声認識部２６は、類似する言葉を同一と認識してもよく、例えば「戻る」と「戻って」を同一の所定の指示と認識してもよい。これらの所定の指示は、メモリ２３に記憶されている。また、前述した所定の指示例は一部であり、限定されない。これにより、ユーザＨ１は手を用いた操作や制御が不要となり、容易にヘアアレンジを継続することができる。音声認識部２６は、認識した所定の指示を制御部２１に出力する。
【００４１】
電源部２９は、ミラーモニタＭ１に電源を供給して、ミラーモニタＭ１を構成する各部を動作可能にする。なお、電源部２９は電荷を蓄積可能なキャパシタを含んで構成されてもよい。
【００４２】
次に、ユーザ端末Ｐ１の構成例について説明する。ユーザ端末Ｐ１は、例えばユーザＨ１の所有するスマートフォンである。ユーザ端末Ｐ１は、通信部３０と、制御部３１と、記憶部３２と、メモリ３３と、表示部３４と、操作部３５と、撮像部３６と、を含んで構成される。
【００４３】
通信部３０は、ルータＲ１を介して無線Ｎ／Ｗ（ＮｅｔＷｏｒｋ）によってカメラＭ２およびミラーモニタＭ１と通信可能に接続される。なお、通信部３０は、Ｂｌｕｅｔｏｏｔｈ（登録商標）によってカメラＭ２およびミラーモニタＭ１と通信可能に接続されてもよい。通信部３０は、ミラーモニタＭ１から撮像映像を受信して、さらに受信した撮像映像をサーバＳ１およびサーバＳ１を介して美容院端末Ｐ２に送信する。なお、通信部３０は、カメラＭ２から撮像映像を直接受信してもよい。
【００４４】
制御部３１は、例えばＣＰＵ（Ｃｅｎｔｒａｌ  Ｐｒｏｃｅｓｓｉｎｇ  ｕｎｉｔ）またはＦＰＧＡ（Ｆｉｅｌｄ  Ｐｒｏｇｒａｍｍａｂｌｅ  Ｇａｔｅ  Ａｒｒａｙ）を用いて構成されて、メモリ３３と協働して、各種の処理および制御を行う。具体的には、制御部３１はメモリ３３に保持されたプログラムおよびデータを参照し、そのプログラムを実行することにより、各部の機能を実現する。各部の機能は、例えば撮像映像の送信先となる美容院ＣＵ２の情報を設定する機能および撮像映像を送信する美容院ＣＵ２に所属する美容師に対して、撮像映像またはヘアアレンジに関する相談内容をテキストで作成する機能等である。
【００４５】
制御部３１は、撮像部３６によって撮像された撮像画像に基づいて、撮像画像の送信先となる美容院ＣＵ２の情報を設定する場合、または撮像画像を送信する美容院ＣＵ２に所属する美容師に対して、テキストで作成された撮像画像またはヘアアレンジに関する相談内容を設定する。
【００４６】
また、制御部３１は、撮像映像または撮像部３６によって撮像された撮像画像をサーバＳ１に記憶させることも可能である。サーバＳ１に記憶させる場合、制御部３１は撮像映像または撮像画像に対して、個人用データ４２ａあるいは公開用データ４２ｂの公開の対象が異なるいずれか一方を選択して設定する。例えば、個人用データはユーザＨ１と、ユーザＨ１が設定した美容院ＣＵ２（言い換えると、設定した美容院ＣＵ２に設置された美容院端末Ｐ２あるいは美容院ＣＵ２に所属する特定の美容師）とが、撮像映像または撮像画像を視聴することができるデータであり、サーバＳ１に記憶される。また、公開用データ４２ｂは、さらに他のユーザまたは他の美容院ＣＵ２であっても視聴することができるデータである。公開用データ４２ｂは、ユーザＨ１によって視聴可能な対象を設定され、この設定に基づく公開先に公開可能にサーバＳ１に記憶される。
【００４７】
記憶部３２は、カメラＭ２から受信した撮像映像、撮像部３６によって撮像された撮像画像および後述するサーバＳ１内に記憶された他のユーザの他の撮像映像のお気に入り動画に関するデータを記憶する。
【００４８】
メモリ３３は、例えば制御部３１の各処理を実行する際に用いられるワークメモリとしてのＲＡＭ（Ｒａｎｄｏｍ  Ａｃｃｅｓｓ  Ｍｅｍｏｒｙ）と、制御部２１の動作を規定したプログラムおよびデータを格納するＲＯＭ（Ｒｅａｄ  Ｏｎｌｙ  Ｍｅｍｏｒｙ）とを有する。ＲＡＭには、制御部３１により生成あるいは取得されたデータもしくは情報が一時的に保存される。ＲＯＭには、制御部３１の動作を規定するプログラムが書き込まれている。
【００４９】
表示部３４は、ミラーモニタＭ１から受信した撮像映像および後述する美容院端末Ｐ２からサーバＳ１を介して送信された回答内容を表示する。また、表示部３４は、直接カメラＭ２から受信した撮像映像を表示可能であってもよい。
【００５０】
操作部３５は、例えばユーザＨ１による操作を受け付けるタッチパネルである。操作部３５は、ユーザＨ１によるタッチ操作等の特定の操作情報を制御部３１に出力する。
【００５１】
撮像部３６は、撮像素子として、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を有する。撮像部３６は、焦点距離を調節可能フォーカスレンズ、ズーム倍率を変更可能なズームレンズ、および撮像素子の感度を調整可能なゲイン調整部を有する。撮像部３６は、撮像した撮像画像を制御部３１に出力する。
【００５２】
図３は、実施の形態１に係るサーバＳ１のシステム構成例を示すブロック図である。図３を参照して、サーバＳ１の構成例について説明する。サーバＳ１は、通信部４０と、制御部４１と、記憶部４２と、メモリ４３と、を含んで構成される。
【００５３】
通信部４０は、無線Ｎ／Ｗ（ＮｅｔＷｏｒｋ）によってユーザ端末Ｐ１および美容院端末Ｐ２と通信可能に接続される。なお、通信部４０は、ユーザ端末Ｐ１に限らず、ミラーモニタＭ１および美容院端末Ｐ２と通信可能に接続されてもよい。通信部４０は、ユーザ端末Ｐ１から撮像映像、撮像映像の送信先となる美容院ＣＵ２の情報、および撮像映像を送信する美容院ＣＵ２に所属する美容師に対して、撮像映像またはヘアアレンジに関する相談内容を受信する。通信部４０は受信した美容院ＣＵ２の情報を制御部４１に出力して、制御部４１の制御信号に基づいて送信先となる美容院端末Ｐ２に、撮像映像および撮像映像またはヘアアレンジに関する相談内容を送信する。
【００５４】
制御部４１は、例えばＣＰＵ（Ｃｅｎｔｒａｌ  Ｐｒｏｃｅｓｓｉｎｇ  ｕｎｉｔ）またはＦＰＧＡ（Ｆｉｅｌｄ  Ｐｒｏｇｒａｍｍａｂｌｅ  Ｇａｔｅ  Ａｒｒａｙ）を用いて構成されて、メモリ４３と協働して、各種の処理および制御を行う。具体的には、制御部４１はメモリ４３に保持されたプログラムおよびデータを参照し、そのプログラムを実行することにより、各部の機能を実現する。各部の機能は、例えば、ユーザ端末Ｐ１から受信した撮像映像に設定された各美容院の情報に基づいて、送信先となる各美容院を決定して、送信先となる各美容院に設置された美容院端末に撮像映像および撮像映像またはヘアアレンジに関する相談内容を送信する機能、または撮像映像あるいは撮像画像に対して設定された公開の対象に基づいて記憶部４２の個人用データ４２ａと公開用データ４２ｂとを選択して記憶する機能等である。
【００５５】
記憶部４２は、ユーザ端末Ｐ１から受信した撮像映像および撮像画像を、設定された公開の対象情報に基づいて個人用データ４２ａと公開用データ４２ｂとのいずれか一方を選択して記憶する。また、記憶部２２は、個人用データ４２ａと公開用データ４２ｂとのそれぞれを、ユーザごとに記憶する。また、記憶部４２は後姿見システムを利用するユーザＨ１に関するユーザ情報（不図示）と、各美容院の情報および各美容院に所属する美容師に関する美容院データ（不図示）とを有し、ユーザ端末Ｐ１から撮像映像および撮像映像またはヘアアレンジに関する相談内容を受信した場合には、設定されている美容院ＣＵ２の情報に基づいて、美容院データから送信先となる美容院ＣＵ２および美容院端末Ｐ２を特定して送信する。
【００５６】
また、記憶部４２は、企業あるいは美容院等によって作成される広告データ（不図示）を有する。広告データは、例えばヘアアレンジ方法を教えるヘアアレンジ教室の広告するデータまたはヘアアレンジに使用するヘアアクセサリの広告データ等である。これにより、ユーザＨ１はユーザＨ１に合った広告を受信することができ、また企業あるいは美容院等は効率的な広告を行うことができる。
【００５７】
メモリ４３は、例えば制御部４１の各処理を実行する際に用いられるワークメモリとしてのＲＡＭ（Ｒａｎｄｏｍ  Ａｃｃｅｓｓ  Ｍｅｍｏｒｙ）と、制御部２１の動作を規定したプログラムおよびデータを格納するＲＯＭ（Ｒｅａｄ  Ｏｎｌｙ  Ｍｅｍｏｒｙ）とを有する。ＲＡＭには、制御部４１により生成あるいは取得されたデータもしくは情報が一時的に保存される。ＲＯＭには、制御部４１の動作を規定するプログラムが書き込まれている。
【００５８】
図４は、実施の形態１に係る美容院ＣＵ２のシステム構成例を示すブロック図である。実施の形態１に係る美容院ＣＵ２におけるシステム構成は、美容院端末Ｐ２と、美容院カメラＭ３と、を含んで構成される。なお、図４では説明を簡単にするために、美容院端末Ｐ２と、美容院カメラＭ３との間において、美容院ＣＵ２に設置されているルータＲ２を介して通信を行う。
【００５９】
まず、美容院カメラＭ３の構成例について説明する。美容院カメラＭ３は、通信部５０と、制御部５１と、記憶部５２と、メモリ５３と、撮像部５４と、電源部５９と、を含んで構成される。
【００６０】
通信部５０は、ルータＲ２を介して無線Ｎ／Ｗ（ＮｅｔＷｏｒｋ）によって美容院端末Ｐ２と通信可能に接続される。なお、通信部５０は、Ｂｌｕｅｔｏｏｔｈ（登録商標）によって美容院端末Ｐ２と通信可能に接続されてもよい。通信部５０は、撮像部５４が撮像を開始すると、撮像部５４から制御部５１に入力される撮像映像を美容院端末Ｐ２に送信する。
【００６１】
制御部５１は、例えばＣＰＵ（Ｃｅｎｔｒａｌ  Ｐｒｏｃｅｓｓｉｎｇ  ｕｎｉｔ）またはＦＰＧＡ（Ｆｉｅｌｄ  Ｐｒｏｇｒａｍｍａｂｌｅ  Ｇａｔｅ  Ａｒｒａｙ）を用いて構成されて、メモリ５３と協働して、各種の処理および制御を行う。具体的には、制御部５１はメモリ５３に保持されたプログラムおよびデータを参照し、そのプログラムを実行することにより、各部の機能を実現する。各部の機能は、ＰＴＺ（Ｐａｎ  Ｔｉｌｔ  Ｚｏｏｍ）機能等である。
【００６２】
記憶部５２は、撮像部５４によって撮像されたユーザＨ１の後姿の撮像映像を記憶する。
【００６３】
メモリ５３は、例えば制御部５１の各処理を実行する際に用いられるワークメモリとしてのＲＡＭ（Ｒａｎｄｏｍ  Ａｃｃｅｓｓ  Ｍｅｍｏｒｙ）と、制御部５１の動作を規定したプログラムおよびデータを格納するＲＯＭ（Ｒｅａｄ  Ｏｎｌｙ  Ｍｅｍｏｒｙ）とを有する。ＲＡＭには、制御部５１により生成あるいは取得されたデータもしくは情報が一時的に保存される。ＲＯＭには、制御部５１の動作を規定するプログラムが書き込まれている。
【００６４】
撮像部５４は、撮像素子として、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を有する。撮像部５４は、焦点距離を調節可能フォーカスレンズ、ズーム倍率を変更可能なズームレンズ、および撮像素子の感度を調整可能なゲイン調整部を有する。撮像部５４は、撮像した撮像映像を制御部５１に出力する。
【００６５】
電源部５９は、美容院カメラＭ３に電源を供給して、美容院カメラＭ３を構成する各部を動作可能にする。なお、電源部５９は電荷を蓄積可能なキャパシタを含んで構成されてもよい。
【００６６】
次に、美容院端末Ｐ２の構成例について説明する。美容院端末Ｐ２は、例えば美容院ＣＵ２の所有するスマートフォンあるいはタブレットである。美容院端末Ｐ２は、通信部６０と、制御部６１と、記憶部６２と、メモリ６３と、表示部６４と、操作部６５と、撮像部６６と、を含んで構成される。
【００６７】
通信部６０は、ルータＲ２を介して無線Ｎ／Ｗ（ＮｅｔＷｏｒｋ）によって美容院カメラＭ３と通信可能に接続される。なお、通信部６０は、Ｂｌｕｅｔｏｏｔｈ（登録商標）によって美容院カメラＭ３と通信可能に接続されてもよい。通信部６０は、サーバＳ１からユーザＨ１が撮像した撮像映像または撮像画像と、撮像映像およびヘアアレンジに関する相談内容とを受信する。また、通信部６０は、撮像映像およびヘアアレンジに関する相談内容に対して美容師が作成した回答内容を、サーバＳ１を介してユーザ端末Ｐ１に送信する。
【００６８】
制御部６１は、例えばＣＰＵ（Ｃｅｎｔｒａｌ  Ｐｒｏｃｅｓｓｉｎｇ  ｕｎｉｔ）またはＦＰＧＡ（Ｆｉｅｌｄ  Ｐｒｏｇｒａｍｍａｂｌｅ  Ｇａｔｅ  Ａｒｒａｙ）を用いて構成されて、メモリ６３と協働して、各種の処理および制御を行う。具体的には、制御部６１はメモリ６３に保持されたプログラムおよびデータを参照し、そのプログラムを実行することにより、各部の機能を実現する。各部の機能は、例えば撮像映像またはヘアアレンジに関する相談内容を作成する機能等である。
【００６９】
制御部６１は、ユーザ端末Ｐ１から受信した撮像映像および撮像映像またはヘアアレンジに関する相談内容に対して、美容師による外部操作に基づく撮像部６６によって撮像された撮像映像または撮像画像による回答内容、あるいはテキストによって作成された回答内容を作成し、送信する。
【００７０】
記憶部６２は、ユーザ端末Ｐ１から受信した撮像映像および撮像画像と、撮像映像またはヘアアレンジに関する相談内容とを記憶する。また、記憶部６２は、撮像部３６によって撮像された撮像画像および撮像画像と、ユーザ端末Ｐ１から受信した相談内容に対する回答内容とを記憶する。記憶部６２は、美容院ＣＵ２を利用するユーザＨ１に関するユーザ情報（不図示）を有し、ユーザごとにデータ（例えば、撮像映像、撮像画像、相談内容および回答内容だけでなく、ユーザＨ１の個人情報等）を記憶してもよい。
【００７１】
メモリ６３は、例えば制御部６１の各処理を実行する際に用いられるワークメモリとしてのＲＡＭ（Ｒａｎｄｏｍ  Ａｃｃｅｓｓ  Ｍｅｍｏｒｙ）と、制御部２１の動作を規定したプログラムおよびデータを格納するＲＯＭ（Ｒｅａｄ  Ｏｎｌｙ  Ｍｅｍｏｒｙ）とを有する。ＲＡＭには、制御部６１により生成あるいは取得されたデータもしくは情報が一時的に保存される。ＲＯＭには、制御部６１の動作を規定するプログラムが書き込まれている。
【００７２】
表示部６４は、ユーザ端末Ｐ１から受信した撮像映像および撮像画像と、撮像映像またはヘアアレンジに関する相談内容とを表示する。また、ユーザＨ１が美容院ＣＵ２を訪れて施術を受ける場合には、表示部６４は、直接美容院カメラＭ３から受信した撮像映像を表示する。
【００７３】
操作部６５は、例えば美容師による外部操作を受け付けるタッチパネルである。操作部６５は、美容師によるタッチ操作等の特定の操作情報を制御部６１に出力する。
【００７４】
撮像部６６は、撮像素子として、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を有する。撮像部６６は、焦点距離を調節可能フォーカスレンズ、ズーム倍率を変更可能なズームレンズ、および撮像素子の感度を調整可能なゲイン調整部を有する。撮像部６６は、撮像した撮像映像または撮像画像を記憶部６２に記憶させて、制御部６１に出力する。
【００７５】
図５Ａは、ユーザ宅ＣＵ１におけるカメラＭ２とミラーモニタＭ１の使用例を示す図である。図５Ｂは、ユーザ宅ＣＵ１におけるカメラＭ２とミラーモニタＭ１の使用例を示す図である。図５Ａは、ユーザＨ１の前面側（紙面の手前側）から見た使用例を示す。また、図５Ｂは、ユーザＨ１の側面側から見た使用例を示し、ユーザＨ１と、カメラＭ２と、ミラーモニタＭ１と、のそれぞれの配置関係を示す。
【００７６】
ミラーモニタＭ１は、ユーザＨ１の前面側に配置され、ミラーモードにおいて対向するユーザＨ１の前面の鏡像を映す。
【００７７】
カメラＭ２は、ユーザＨ１の背後（言い換えると、後面側）に配置され、ユーザＨ１の後姿を撮像する。これにより、ユーザＨ１は後姿、後頭部および頭頂部をミラーモニタＭ１によって確認することができる。よって、ユーザＨ１はヘアアレンジだけでなく、白髪チェックおよび頭頂部の白髪染めを容易に行うことができる。
【００７８】
以上のように、実施の形態１に係る後姿見システム１００は、ミラーモニタＭ１およびカメラＭ２を配置することにより、ユーザＨ１の前面と後姿とを同時にミラーモニタＭ１に映し出し、かつ表示することができる。よってユーザＨ１は、両手を使用してヘアアレンジをすることができる。
【００７９】
図６Ａは、ミラーモニタＭ１のミラーモードの一例を示す図である。ミラーモニタＭ１は、ミラーモニタＭ１の電源がオフの場合と、または電源がオンであってバックライトの輝度が０の場合とにおいて、ミラーモードである。ミラーモニタＭ１は、ミラーモードにおいて、表示部２４と対向するユーザＨ１の前面の鏡像を映す。
【００８０】
図６Ｂは、ミラーモニタにおけるモニタモードの一例を示す図である。ミラーモニタＭ１は、ミラーモニタＭ１の電源がオンの場合と、または電源がオンであってバックライト光の輝度が周囲より明るくなるためモニターとして機能する場合とにおいて、モニタモードとなる。
【００８１】
モニタモードにおけるミラーモニタＭ１は、表示部２４に複数の表示領域２４ａ〜２４ｅからなる表示領域をそれぞれ有する。複数の表示領域２４ａ〜２４ｅのそれぞれは、制御部２１の制御に基づいて輝度が調整可能となっている。表示部２４は、制御部２１によって調整される輝度に基づいて複数の表示領域２４ａ〜２４ｅのそれぞれの領域に位置するバックライトを点灯させる。表示部２４は、バックライトの光をハーフミラー上に透過させて表示する。以下、各表示領域２４ａ〜２４ｅのそれぞれの一例について説明する。
【００８２】
第１の表示領域２４ａは、常時ミラーモードであって、ミラーモニタＭ１に対向して正面に位置するユーザＨ１の鏡像を表示する表示領域である。これにより、ユーザＨ１は常時自分の前面の姿を確認することができる。
【００８３】
第２の表示領域２４ｂは、ユーザＨ１の背後に配置されたカメラＭ２によって撮像された撮像映像を表示する。これにより、ユーザＨ１は手元と、後頭部とを確認しながらヘアアレンジすることができる。また、第２の表示領域に表示される撮像映像は、ユーザＨ１の音声に基づく所定の指示によって制御されてもよい。第２の表示領域に表示される撮像映像に対する所定の指示は、例えば「オン」でカメラＭ２の撮像映像を表示し、「オフ」でカメラＭ２の撮像映像の表示を終了し、「拡大」で撮像映像のうち一部を拡大して表示し、「縮小」で撮像映像を縮小して後姿の全体を表示する。
【００８４】
なお、所定の指示はこれらに限定されず、カメラＭ２によって撮像される撮像映像の表示に関する制御を実行するためのものであれば任意に設定されてよい。
【００８５】
また、所定の指示は、他のユーザとの間でカメラＭ２によって撮像された撮像映像を共有するための指示を含んでもよい。この場合の所定の指示が認識される場合には、制御部２１は、撮像された撮像映像をユーザ端末Ｐ１に送信して記憶させる制御信号を送信する。また、制御部２１は、ユーザ端末Ｐ１に記憶された撮像映像をサーバＳ１においてユーザＨ１に対して割り当てられた公開用データ４２ｂに記憶し、他のユーザに公開されるように制御信号を送信する。なお、ミラーモニタＭ１がサーバＳ１と通信可能な場合には、制御部２１は、ユーザ端末Ｐ１に撮像映像を送信して記憶させると共に、サーバＳ１においてユーザＨ１に対して割り当てられた公開用データ４２ｂに記憶させる制御信号をそれぞれ送信する。
【００８６】
なお、これら所定の指示はこれらに限定されず、カメラＭ２によって撮像される撮像映像の記憶と他のユーザへの公開に関する制御を実行するためのものであれば任意に設定されてよい。
【００８７】
第３の表示領域２４ｃは、ユーザ端末Ｐ１によって選択または登録されたお気に入り動画（言い換えると、他のユーザの他の撮像映像）を表示する。これにより、ユーザＨ１は気に入った他のユーザのヘアアレンジ動画を参考（言い換えると、手本）にしながら、ユーザＨ１のヘアアレンジを行うことができる。また、第３の表示領域に表示されるお気に入り動画は、ユーザＨ１の音声に基づく所定の指示によって制御されてもよい。第３の表示領域に表示されるお気に入り動画に対する所定の指示は、例えば「スタート」でお気に入り動画を再生し、「ストップ」でお気に入り動画の再生を一時停止し、「戻る」でお気に入り動画の現在の再生時間に対して所定の時間だけ戻った時点のお気に入り動画を表示し、「進む」でお気に入り動画の現在の再生時間に対して所定の時間だけ進んだ時点のお気に入り動画を表示する。
【００８８】
なお、これら所定の指示はこれらに限定されず、ユーザ端末Ｐ１によって選択または登録されたお気に入り動画（言い換えると、他のユーザの他の撮像映像）の表示に関する制御を実行するためのものであれば任意に設定されてよい。
【００８９】
第４の表示領域２４ｄは、カメラＭ２によって過去に撮像された直近のヘアアレンジ履歴を示すサムネイルの一覧を表示する。これにより、ユーザＨ１は過去のヘアアレンジと異なるヘアアレンジを希望する場合の参考とし、または過去に気に入ったヘアアレンジを参考とすることができる。また、第４の表示領域２４ｄは、ユーザ端末Ｐ１によってお気に入り登録されたお気に入り動画の再生履歴のサムネイルの一覧を表示してもよい。
【００９０】
第５の表示領域２４ｅは、ユーザＨ１によるユーザ端末Ｐ１のヘアアレンジに関する操作履歴に基づいて、企業あるいは美容院等によって作成されるサーバＳ１に記憶された広告データを表示する。これにより、ユーザＨ１はユーザＨ１に合った広告を受信することができ、また企業あるいは美容院等は効率的な広告を行うことができる。
【００９１】
以上のように、表示部２４は複数の表示領域２４ａ〜２４ｅのそれぞれを有する。これによりユーザＨ１は、ユーザＨ１の前面を鏡像で確認しながら、ユーザＨ１はカメラＭ２によって撮像された撮像映像の表示、およびユーザ端末Ｐ１に登録されたお気に入り動画の再生を同時に行うことができる。さらに、ユーザＨ１はユーザＨ１に合った広告データを得ることができる。また、企業あるいは美容院等は効率的な広告を行うことができる。
【００９２】
また、ミラーモニタＭ１はミラーモードと、モニタモードとを切り替えて、表示部２４の全面にカメラＭ２によって撮像される撮像映像を表示してもよい。
【００９３】
図７は、カメラＭ２の一例を示す図である。カメラＭ２は、撮像部１４と、高さ方向に伸縮自在な調整部１８と、を有して構成される。
【００９４】
撮像部１４は、撮像素子として、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を有する。撮像部１４は、ユーザＨ１の後姿を撮像し、ユーザＨ１の後頭部およびユーザＨ１の手元を含むヘアアレンジの様子を撮像する。焦点距離を調節可能フォーカスレンズ、ズーム倍率を変更可能なズームレンズ、および撮像素子の感度を調整可能なゲイン調整部を有する。撮像部１４は、撮像した撮像映像を制御部１１に出力する。
【００９５】
調整部１８は、ユーザＨ１の後頭部およびユーザＨ１の手元を含むヘアアレンジの様子を撮像可能高さに撮像部１４を保持する。調整部１８は、例えば撮像部１４が床より５０ｃｍ〜１８０ｃｍの高さに位置するように調整することができる。
【００９６】
なお、美容院カメラＭ３は、図７に示すカメラＭ２にさらにキャスタを備えて構成する。これにより美容院カメラＭ３は、例えば顧客を施術するための複数の席数に対して少ない台数の美容院カメラＭ３しかない場合であっても、容易に移動させることができ、また位置調整をすることができる。
【００９７】
図８は、実施の形態１に係る後姿見システム１００の動作手順例を示すシーケンス図である。
【００９８】
カメラＭ２と、ミラーモニタＭ１との電源をオンにする（Ｔ１）。
【００９９】
カメラＭ２は、ユーザＨ１の後姿の撮像を開始し、撮像映像をミラーモニタＭ１に送信する。ミラーモニタＭ１は、カメラＭ２から受信した撮像映像を第２の表示領域２４ｂに表示する（Ｔ２）。
【０１００】
ミラーモニタＭ１は、受信した撮像映像をユーザ端末Ｐ１に送信する。ユーザ端末Ｐ１は、ミラーモニタＭ１から受信した撮像映像を記憶する（Ｔ３）。
【０１０１】
ユーザ端末Ｐ１は、記憶した撮像映像の送信先となる美容院の情報を設定する。また、ユーザ端末Ｐ１は、撮像映像またはヘアアレンジに関する相談内容をテキストで作成し、設定する。ユーザ端末Ｐ１は、撮像映像と相談内容とをサーバＳ１に送信し、撮像映像に設定された美容院の情報に基づいてサーバＳ１に対して送信先となる美容院への転送を指示する（Ｔ４）。
【０１０２】
サーバＳ１は、ユーザ端末Ｐ１から撮像映像および相談内容を受信する。サーバＳ１は、受信した撮像映像に設定された美容院の情報に基づいて美容院データを参照し、美容院ＣＵ２に設置された美容院端末Ｐ２に、撮像映像および相談内容を転送する。美容院端末Ｐ２は、サーバＳ１から受信した撮像映像および相談内容を表示部６４に表示する（Ｔ５）。
【０１０３】
美容院端末Ｐ２は、美容院ＳＣ２に所属する美容師による入力操作を受付し、相談内容に対する回答内容をテキスト、音声および映像によって作成する（Ｔ６）。
【０１０４】
美容院端末Ｐ２は、作成した回答内容をサーバＳ１に送信し、サーバＳ１にユーザ端末Ｐ１への転送を指示する。サーバＳ１は、美容院端末Ｐ２から受信した回答内容をユーザ端末Ｐ１に送信する。ユーザ端末Ｐ１は、サーバＳ１から受信した回答内容を表示部３４に表示する（Ｔ７）。
【０１０５】
これにより、実施の形態１に係る後姿見システム１００は、美容師からのヘアアレンジに関する的確なアドバイスの取得を容易に行い、ユーザＨ１のヘアアレンジの技量の向上を支援することができる。
【０１０６】
図９Ａは、ユーザ端末Ｐ１における相談内容Ｐ１１の作成例を示す図である。また図９Ｂは、美容院端末Ｐ２における回答内容の作成例を示す図である。
【０１０７】
ユーザ端末Ｐ１は、ユーザＨ１の入力操作によって撮像映像またはヘアアレンジに関する相談内容Ｐ１１を作成する。相談内容Ｐ１１は、例えば相談内容の概要を示すタイトルと、テキストで作成された相談文章と、撮像映像のサムネイルまたはユーザ端末Ｐ１の撮像部３６によって撮像された撮像画像と、を含んで作成される。また、相談内容Ｐ１１は、ユーザＨ１が参照する他のユーザの他の撮像映像のサムネイルまたは他のユーザの他のユーザ端末によって撮像された撮像画像を含んで作成されてもよい。なお、相談内容Ｐ１１は、ヘアアレンジに関する相談内容であればよく、その構成はテキストで作成された相談文章のみで作成されてもよい。ユーザ端末Ｐ１は、相談内容Ｐ１１の作成画面にユーザＨ１の入力操作によって作成された相談内容Ｐ１１の送信を中止する中止ボタンＰ１２と、作成した相談内容Ｐ１１を美容院端末Ｐ２に送信する送信ボタンＰ１３と、を有する。
【０１０８】
また、美容院端末Ｐ２は、美容師の入力操作によって作成された回答内容Ｐ１４を作成する。回答内容Ｐ１４は、例えばテキストで作成された回答文章と、相談内容または回答内容に関連する撮像映像、撮像画像または音声による回答データ（不図示）と、を含んで作成される。また、回答内容Ｐ１４は、美容師による撮像映像または撮像画像を撮像する撮像ボタンＰ１５の操作によって撮像された撮像映像または撮像画像を含んで作成されてもよい。美容院端末Ｐ２は、回答内容Ｐ１４の作成画面に美容師の入力操作によって作成された回答内容Ｐ１４をユーザ端末Ｐ１に送信する送信ボタンＰ１６を有する。
【０１０９】
図１０は、実施の形態１に係るユーザ宅ＣＵ１における後姿見システム１００の動作手順例を示す図である。
【０１１０】
ミラーモニタＭ１およびカメラＭ２は、電源をオンにする（Ｓｔ１）。
【０１１１】
ミラーモニタＭ１は、カメラＭ２によって撮像されるユーザＨ１の後姿の撮像映像を、第２の表示領域２４ｂに表示する（Ｓｔ２）。
【０１１２】
ユーザＨ１は、ユーザ端末Ｐ１にお気に入り動画として登録された他のユーザの他の撮像映像を表示するか否かを決定する。ミラーモニタＭ１は、ユーザＨ１がお気に入り動画を表示する場合（Ｓｔ３、ＹＥＳ）、ユーザＨ１によって選択されたお気に入り動画をユーザ端末Ｐ１から受信する（Ｓｔ４）。これにより、ユーザＨ１はお気に入り動画を参照して気に入ったヘアアレンジをすることができる。
【０１１３】
ミラーモニタＭ１は、ユーザ端末Ｐ１から受信したお気に入り動画を第３の表示領域２４ｃに表示する（Ｓｔ５）。これにより、ユーザＨ１はお気に入り動画を見ながらヘアアレンジをすることができる。
【０１１４】
ミラーモニタＭ１は、マイク２７に入力されるユーザＨ１の音声を音声認識部２６に出力する。ミラーモニタＭ１は、音声認識部２６に入力された音声からお気に入り動画を再生するための所定の指示（例えば「再生」、「スタート」等）を認識し、制御部２１に出力する。ミラーモニタＭ１は、制御部２１の制御に基づいてお気に入り動画を再生する（Ｓｔ６）。これにより、ユーザＨ１は手を使用した操作を不要として、お気に入り動画を再生することができ、空いた両手を使用してヘアアレンジをすることができる。
【０１１５】
ミラーモニタＭ１は、マイク２７に入力されるユーザＨ１の音声を音声認識部２６に出力する。ミラーモニタＭ１は、音声認識部２６に入力された音声からお気に入り動画の再生を終了するための所定の指示（例えば「終了」等）を認識し、制御部２１に出力する。ミラーモニタＭ１は、制御部２１の制御に基づいてお気に入り動画の再生を終了する（Ｓｔ７）。これにより、ユーザＨ１は手を使用した操作を不要として、お気に入り動画を終了することができる。
【０１１６】
ミラーモニタＭ１は、ユーザＨ１がお気に入り動画を表示しない場合（Ｓｔ３、ＮＯ）、またはステップＳｔ７でユーザＨ１がお気に入り動画を表示して、お気に入り動画の再生を終了した場合、ユーザＨ１にカメラＭ２によって撮像された撮像映像を記憶するか否かを選択させる（Ｓｔ８）。これにより、ユーザＨ１は気に入った撮像映像のみを記憶することができる。
【０１１７】
ミラーモニタＭ１は、ステップＳｔ８においてユーザＨ１が撮像映像を記憶することを選択した場合（Ｓｔ８、ＹＥＳ）、撮像映像をユーザ端末Ｐ１に送信する。ユーザ端末Ｐ１は、ミラーモニタＭ１から受信した撮像映像を記憶する（Ｓｔ９）。
【０１１８】
ユーザＨ１はＳＮＳを利用して撮像映像を一般公開するか否かを選択して、ユーザ端末Ｐ１に入力する（Ｓｔ１０）。これにより、ユーザＨ１は気に入った撮像映像を容易に他のユーザと共有することができる。
【０１１９】
ユーザ端末Ｐ１は、ステップＳｔ１０でユーザＨ１が撮像映像を一般公開すると選択した場合（Ｓｔ１０、ＹＥＳ）、さらに撮像映像に公開の対象を設定し、サーバＳ１に送信する。サーバＳ１は、ユーザ端末Ｐ１から受信した撮像映像の公開の対象の設定に基づいて、公開用データ４２ｂに撮像映像を記憶する（Ｓｔ１１）。
【０１２０】
サーバＳ１は、撮像映像の公開の対象の設定に基づく他のユーザからの視聴可能に設定して公開する（Ｓｔ１２）。これにより、ユーザＨ１および他のユーザは、さまざまなユーザによって撮像されたヘアアレンジに関する撮像映像を共有し、自由に視聴することができる。
【０１２１】
後姿見システム１００は、ステップＳｔ８においてユーザＨ１が撮像映像を記憶しないことを選択した場合（Ｓｔ８、ＮＯ）、一連の制御動作を終了する。また、後姿見システム１００は、ステップＳｔ１０でユーザＨ１が撮像映像を一般公開しないと選択した場合（Ｓｔ１０、ＮＯ）、一連の制御動作を終了する。
【０１２２】
図１１Ａは、サーバＳ１の記憶部４２の公開用データ４２ｂに記憶された他の撮像映像のサムネイルをユーザ端末Ｐ１に表示する表示例を示す図である。公開用データ４２ｂは、視聴回数またはお気に入り動画として登録された数が多い等の所定の条件を満たす場合、ユーザ端末Ｐ１の表示画面Ｐ１ｃにおすすめ動画Ｐ１７として表示される。また、同様に視聴回数またはお気に入り動画として登録された数が多い等の他の所定の条件を満たす他のユーザの他の撮像映像は、プレミアムヘアアレンジレシピＰ１８として、ユーザ端末Ｐ１の表示部３４に表示される。
【０１２３】
図１１Ｂは、ユーザ端末Ｐ１におけるお気に入り動画の検索例を示す図である。図１１Ｂは、ユーザ端末Ｐ１においてお気に入り動画を検索する検索ページを示す表示画面Ｐ１ｄを示す。ユーザＨ１は、お気に入り動画を検索する場合に、髪の長さ別にヘアアレンジ方法を分類するタイプ別レシピＰ１９を選択して、他のユーザの他の撮像映像を検索することができる。また、ユーザＨ１は、お気に入り動画を検索する場合に、シーン別にヘアアレンジ方法を分類するシーン別レシピＰ２０のうちいずれか１つのシーンを選択して、各シーンに合ったヘアアレンジ方法を撮像した他のユーザの他の撮像映像を検索することができる。
【０１２４】
図１１Ｃは、ユーザ端末Ｐ１における撮像映像の一覧表示例を示す図である。図１１Ｃは、ユーザ端末Ｐ１に記憶された撮像映像のサムネイルＰ２２をカレンダーＰ２１上に一覧表示した表示画面Ｐ１ｅを示す。ユーザ端末Ｐ１は、撮像映像の表示方法をカレンダーに限らず、例えばシーン別あるいはヘアアレンジ方法のジャンル別に一覧表示してもよく、一覧表示するための分類方法を選択可能にしてもよい。さらに、ユーザ端末Ｐ１はユーザＨ１が過去に撮像した撮像映像の中から撮像映像を選択して、動画共有ボタンＰ２３を選択した場合、撮像映像をサーバＳ１に送信する。サーバＳ１は、受信した撮像映像を公開用データ４２ｂに記憶してＳＮＳを利用して他のユーザに公開する。これにより、ユーザＨ１は気に入った過去の撮像映像を容易にＳＮＳに投稿して、他のユーザに公開することができる。
【０１２５】
以上により、実施の形態１に係る後姿見システム１００では、ユーザＨ１の背後に配置され、ユーザＨ１の後姿を撮像するカメラＭ２と、ユーザＨ１の前面の鏡像を映すとともに、カメラＭ２によって撮像される撮像映像を表示するミラーモニタＭ１を有し、撮像映像をユーザ端末Ｐ１に記憶する。ユーザ端末Ｐ１は、記憶した撮像映像に、撮像映像の送信先となる美容院ＣＵ２の情報を設定して、サーバＳ１に送信する。サーバＳ１は、設定された美容院ＣＵ２の情報に基づいて、美容院ＣＵ２に配置される美容院端末Ｐ２に撮像映像を送信する。美容院端末Ｐ２は、受信した撮像映像に対して、撮像映像を見た美容師からのヘアアレンジに関する回答内容（指摘内容の一例）を作成する。ユーザ端末Ｐ１は、美容師によって作成された回答内容を美容院端末Ｐ２およびサーバＳ１を介して受信して表示する。
【０１２６】
これにより、後姿見システム１００は、ユーザＨ１に合ったヘアアレンジ方法に関する相談内容に対して美容師からのヘアアレンジに関する的確なアドバイスの取得を容易に行うことができるため、ユーザＨ１のヘアアレンジの技量の向上を支援することができる。
【０１２７】
また、ミラーモニタＭ１は、ミラーモニタＭ１の表面の全面においてユーザＨ１の前面の鏡像を映すミラーモードと、ミラーモードが有する複数の表示領域２４ａ〜２４ｅのそれぞれにおいて異なるデータを表示するモニタモードと、を制御することができる。これにより、ミラーモニタＭ１は、ユーザＨ１の前面を映す鏡としての機能と、異なるデータを表示するディスプレイとしての機能とを備えることができる。
【０１２８】
また、ミラーモニタＭ１は、ミラーモニタＭ１の表面の全面においてミラーモードとモニタモードとを同時に実行することができる。これにより、ユーザＨ１は自分の前面の鏡像と、別のデータと、を同一面で同時に見ることができる。
【０１２９】
また、ミラーモニタＭ１は、ミラーモードにおいてユーザＨ１の前面を映し、複数の表示領域２４ａ〜２４ｅのいずれかにユーザＨ１の後姿の撮像映像を表示することができる。これにより、ユーザＨ１は自分の前面の鏡像と、ヘアアレンジをしている自分の後姿と、を同時に見ることができ、前面の鏡像から全体のバランスを確認して、撮像される後姿からヘアアレンジをする手元を確認することができる。
【０１３０】
また、ミラーモニタＭ１は、複数の表示領域２４ａ〜２４ｅのうちいずれか１つの表示領域に、サーバＳ１に登録された他のユーザによる他の撮像映像を表示することができる。これにより、ユーザＨ１は他のユーザのヘアアレンジに関する他の撮像映像を参照しながら、ユーザＨ１自身のヘアアレンジを行うことができ、ヘアアレンジの技量を向上させることができる。
【０１３１】
また、ミラーモニタＭ１は、複数の表示領域２４ａ〜２４ｅのうちいずれか１つの表示領域に、過去に撮像された複数の撮像映像を表示することができる。これにより、ユーザＨ１は過去に行ったヘアアレンジを確認することができる。
【０１３２】
また、サーバＳ１は、ユーザＨ１のヘアアレンジに関する広告データを有する。ミラーモニタＭ１は、複数の表示領域２４ａ〜２４ｅのうちいずれか１つの表示領域に、広告データのうちユーザ端末Ｐ１に記憶されたユーザＨ１の情報に関連する広告データを表示する。ユーザ端末Ｐ１は、ユーザＨ１のヘアアレンジに関する広告データをサーバＳ１から取得する。ユーザ端末Ｐ１は、広告データのうちユーザ端末Ｐ１におけるヘアアレンジの操作履歴に基づく広告データを抽出してミラーモニタＭ１に表示させることができる。これにより、ユーザＨ１はユーザＨ１に合った広告データの提供を受けることができる。また、企業あるいは美容院は、ユーザＨ１に合った広告データを提供することができる。
【０１３３】
また、ミラーモニタＭ１は、ユーザＨ１の音声を入力するマイク２７と、音声に基づく所定の指示を認識する音声認識部２６と、をさらに有する。ミラーモニタＭ１における制御部２１は、音声認識部２６により認識された所定の指示に基づいて、撮像映像の表示に関する制御を実行することができる。これにより、ユーザＨ１はミラーモニタＭ１またはカメラＭ２に対する制御を音声によって行うことができ、両手をヘアアレンジのために使用することができる。
【０１３４】
また、ミラーモニタＭ１は、ミラーモニタＭ１に給電する電源部と、ミラーモニタの輝度を調整可能な制御部２１と、をさらに有し、電源部２９のオン状態においてミラーモードを実行し、輝度を調整してさらにモニタモードを実行することができる。これにより、ミラーモニタＭ１は電源のオン、オフによって容易にミラーモードとモニタモードとを切り替えることができる。
【０１３５】
また、ミラーモニタＭ１は、ミラーモニタＭ１の輝度を調整可能な制御部をさらに有し、輝度が０（ゼロ）の状態においてミラーモードを実行し、輝度を所定の値に調整してミラーモードを実行することができる。これにより、ミラーモニタＭ１は輝度の調整によって複数の表示領域２４ａ〜２４ｅのそれぞれに異なるデータを表示し、また同時にミラーモードを実行することができる。
【０１３６】
以下、実施の形態１における各構成要素について、他の実施例を記載する。
【０１３７】
実施の形態１に係る後姿見システム１００では、ユーザ端末Ｐ１から美容院ＣＵ２の美容師に向けて相談内容を作成して送信するが、送信先は他のユーザであってもよい。これにより、ヘアアレンジ教室を開催する講師、美容院以外に勤務するスタイリスト、ヘアアクセサリあるいはヘアケア製品を製造または販売する企業、および他のヘアアレンジのベテランのユーザに相談することができる。これにより、ユーザＨ１はヘアアレンジの技量の向上することができ、また多くのヘアアレンジおよびヘアケア等の知識を身に着けることができる。さらには、企業、美容院あるいはその他ヘアアレンジあるいはヘアケアに関するビジネスを業とする人々が、容易に様々なビジネスを提案し、展開することができる。
【０１３８】
実施の形態１に係る後姿見システム１００では、ユーザ端末Ｐ１を用いて登録されたライブ映像からなるお気に入り動画を再生することができる。これにより、ユーザＨ１は遠く離れた都市部で開催されるアレンジ教室に、オンラインでリアルタイムに参加することができる。
【０１３９】
実施の形態１に係る後姿見システム１００では、各ユーザ端末から各ユーザの撮像映像をサーバＳ１の公開用データ４２ｂに記憶することができる。さらにサーバＳ１の公開用データ４２ｂに記憶された撮像映像は各ユーザの間で共有される。これにより、各ユーザはトレンドのヘアアレンジ、ヘアケアおよびヘアアクセサリ等の情報を入手することができ、ヘアアレンジの技量が向上するだけでなく、ヘアアレンジの幅を広げることができる。
【０１４０】
実施の形態１に係る広告データは、ヘアアレンジだけでなくヘアケアに関するデータであってもよい。例えば、新発売のトリートメントに関する広告であってもよいし、美容院のヘアケアに関する施術の新メニューの広告であってもよい。さらに、広告データはヘアアクセサリに関するデータであってもよい。
【０１４１】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【産業上の利用可能性】
【０１４２】
本開示は、美容師からのヘアアレンジに関する的確なアドバイスの取得を容易に行い、ユーザのヘアアレンジの技量の向上を支援することができる後姿見システムおよび後姿見方法として有用である。
【符号の説明】
【０１４３】
１００  後姿見システム
Ｐ１  ユーザ端末
Ｐ２  美容院端末
Ｍ１  ミラーモニタ
Ｍ２  カメラ
Ｍ３  美容院カメラ
Ｓ１  サーバ
ＣＵ１  ユーザ宅
ＣＵ２  美容院
【図１】
2020136971.tif 000003
【図２】
2020136971.tif 000004
【図３】
2020136971.tif 000005
【図４】
2020136971.tif 000006
【図５Ａ】
2020136971.tif 000007
【図５Ｂ】
2020136971.tif 000008
【図６Ａ】
2020136971.tif 000009
【図６Ｂ】
2020136971.tif 000010
【図７】
2020136971.tif 000011
【図８】
2020136971.tif 000012
【図９Ａ】
2020136971.tif 000013
【図９Ｂ】
2020136971.tif 000014
【図１０】
2020136971.tif 000015
【図１１Ａ】
2020136971.tif 000016
【図１１Ｂ】
2020136971.tif 000017
【図１１Ｃ】
2020136971.tif 000018